(57)【要約】【課題】ＥＰＣ（Evolved  Packet  Core）ネットワークにおいて、パケットデータネットワークゲートウェイを介したサービスとＭＥＣ（Mobile  Edge  Computing）によるサービスとの両方を端末装置に対して適切に提供すること。【解決手段】第１通信処理部１３１は、端末装置５００のためのデータの宛先アドレスがＭＥＣサーバ３００のアドレス以外のアドレスである場合には、端末装置５００とパケットデータネットワークゲートウェイ２００との間でデータの転送を行い、第２通信処理部１３３は、端末装置５００のためのデータの宛先アドレスがＭＥＣサーバ３００のアドレスである場合には、端末装置５００とＭＥＣサーバ３００との間でデータの転送を行う。【選択図】図２
2019176295.tif 000002
【特許請求の範囲】
【請求項１】
ＥＰＣ（Evolved  Packet  Core）ネットワークにおいて端末装置のためのアドレスを設定するパケットデータネットワークゲートウェイとの通信を行う第１通信処理部と、
ＭＥＣ（Mobile  Edge  Computing）によりサービスを提供するＭＥＣサーバとの通信を行う第２通信処理部と、
前記ＭＥＣサーバのアドレスに関する情報を管理する管理部と、
を備え、
前記第１通信処理部は、前記端末装置のためのデータの宛先アドレスが前記ＭＥＣサーバのアドレス以外のアドレスである場合には、前記端末装置と前記パケットデータネットワークゲートウェイとの間でデータの転送を行い、
前記第２通信処理部は、前記端末装置のためのデータの宛先アドレスが前記ＭＥＣサーバのアドレスである場合には、前記端末装置と前記ＭＥＣサーバとの間でデータの転送を行う、ゲートウェイ装置。
【請求項２】
前記ＭＥＣサーバのサービスエリアは、トラッキングエリア識別子により識別されるエリアである、請求項１記載のゲートウェイ装置。
【請求項３】
前記第１通信処理部は、前記ＭＥＣサーバの前記サービスエリアへのトラッキングエリアアップデートリクエストを前記端末装置から受信した場合に、前記パケットデータネットワークゲートウェイに対して、Modify  Bearer  Requestメッセージを送信する、請求項２記載のゲートウェイ装置。
【請求項４】
前記第１通信処理部は、前記パケットデータネットワークゲートウェイから、Modify  Bearer  Responseメッセージを受信する、請求項３記載のゲートウェイ装置。
【請求項５】
前記第１通信処理部は、前記パケットデータネットワークゲートウェイから前記Modify  Bearer  Responseメッセージを受信した後、前記パケットデータネットワークゲートウェイとの間で、Ｓ５インタフェースを用いた通信を行う、請求項４記載のゲートウェイ装置。
【請求項６】
ＥＰＣ（Evolved  Packet  Core）ネットワークにおいて端末装置のためのアドレスを設定するパケットデータネットワークゲートウェイとの通信を行うことと、
ＭＥＣ（Mobile  Edge  Computing）によりサービスを提供するＭＥＣサーバとの通信を行うことと、
前記ＭＥＣサーバのアドレスに関する情報を管理することと、
を含み、
前記パケットデータネットワークゲートウェイとの通信では、前記端末装置のためのデータの宛先アドレスが前記ＭＥＣサーバのアドレス以外のアドレスである場合に、前記端末装置と前記パケットデータネットワークゲートウェイとの間でデータの転送を行い、
前記ＭＥＣサーバとの通信では、前記端末装置のためのデータの宛先アドレスが前記ＭＥＣサーバのアドレスである場合に、前記端末装置と前記ＭＥＣサーバとの間でデータの転送を行う、方法。
【請求項７】
ＥＰＣ（Evolved  Packet  Core）ネットワークにおいて端末装置のためのアドレスを設定するパケットデータネットワークゲートウェイとの通信を行うことと、
ＭＥＣ（Mobile  Edge  Computing）によりサービスを提供するＭＥＣサーバとの通信を行うことと、
前記ＭＥＣサーバのアドレスに関する情報を管理することと、
をプロセッサに実行させるプログラムであり、
前記パケットデータネットワークゲートウェイとの通信では、前記端末装置のためのデータの宛先アドレスが前記ＭＥＣサーバのアドレス以外のアドレスである場合に、前記端末装置と前記パケットデータネットワークゲートウェイとの間でデータの転送を行い、
前記ＭＥＣサーバとの通信では、前記端末装置のためのデータの宛先アドレスが前記ＭＥＣサーバのアドレスである場合に、前記端末装置と前記ＭＥＣサーバとの間でデータの転送を行う、プログラム。
【請求項８】
ＥＰＣ（Evolved  Packet  Core）ネットワークにおいて端末装置のためのアドレスを設定するパケットデータネットワークゲートウェイとの通信を行うことと、
ＭＥＣ（Mobile  Edge  Computing）によりサービスを提供するＭＥＣサーバとの通信を行うことと、
前記ＭＥＣサーバのアドレスに関する情報を管理することと、
をプロセッサに実行させるプログラムを記録したコンピュータに読み取り可能な非一時的記録媒体であり、
前記パケットデータネットワークゲートウェイとの通信では、前記端末装置のためのデータの宛先アドレスが前記ＭＥＣサーバのアドレス以外のアドレスである場合に、前記端末装置と前記パケットデータネットワークゲートウェイとの間でデータの転送を行い、
前記ＭＥＣサーバとの通信では、前記端末装置のためのデータの宛先アドレスが前記ＭＥＣサーバのアドレスである場合に、前記端末装置と前記ＭＥＣサーバとの間でデータの転送を行う、記録媒体。
【発明の詳細な説明】
【技術分野】
【０００１】
本発明は、ゲートウェイ装置、方法、プログラム、及び記録媒体に関する。
【背景技術】
【０００２】
例えば、特許文献１に記載されているように、ＭＥＣ（Mobile  Edge  Computing）は、アプリケーション開発者及びコンテンツプロバイダに対して、モバイル加入者に近接した無線アクセスネットワーク内でのクラウドコンピューティング能力及びＩＴ（information  technology）サービス環境を提供する。この環境は、超低遅延及び高帯域幅に加えて、アプリケーション及びサービスによって活用されることができる無線ネットワーク情報（加入者位置、セル負荷など）への直接アクセスを提供することが可能になる。
【先行技術文献】
【特許文献】
【０００３】
【特許文献１】国際公開２０１７／０９９１６５号
【発明の概要】
【発明が解決しようとする課題】
【０００４】
ＭＥＣを実現する方法は、以下のようにいくつか存在しうるが、３ＧＰＰ（3rd  Generation Partnership  Project）に規定されるような標準的な方法はない。
【０００５】
例えば、Ｓ１区間にＤＰＩ（Deep  Packet  Inspection）を設置して、ＭＥＣサービス向け宛先ＩＰパケットの経路を変更する方法では、次のような問題がある。すなわち、ＭＥＣサービス向けのサービス提供エリアでは、ＵＥ（User  Equipment）の位置が分からないため、ネットワークからのダウンリンクパケットをＵＥが受信することができない。
【０００６】
また、ＭＥＣサービス向けのサービスエリアにＰＧＷを配備し、当該ＰＧＷをモビリティ制御と連動させると、ＵＥは、ダウンリンクパケットを受信することができるが、ＰＤＮセッションの再設定が必要となる。つまり、ＵＥにＩＰアドレスが再割り当てされるという点で、サービスへの影響が発生する。また、ＰＧＷをＭＥＣサービス向けのサービスエリアに配備する場合、インターネット向けの接続を維持するため、ＭＥＣサービス向けのサービスエリアには、例えばＩＰＸ（Internetwork  Packet  eXchange）などの設備が必要となる。
【０００７】
本発明の目的は、ＥＰＣ（Evolved  Packet  Core）ネットワークにおいて、パケットデータネットワークゲートウェイを介したサービスとＭＥＣ（Mobile  Edge  Computing）によるサービスとの両方を端末装置に対して適切に提供することを可能にするゲートウェイ装置、方法、プログラム、及び記録媒体を提供することにある。
【課題を解決するための手段】
【０００８】
本発明のゲートウェイ装置は、ＥＰＣ（Evolved  Packet  Core）ネットワークにおいて端末装置のためのアドレスを設定するパケットデータネットワークゲートウェイとの通信を行う第１通信処理部と、ＭＥＣ（Mobile  Edge  Computing）によりサービスを提供するＭＥＣサーバとの通信を行う第２通信処理部と、上記ＭＥＣサーバのアドレスに関する情報を管理するアドレス管理部と、を備え、上記第１通信処理部は、上記端末装置のためのデータの宛先アドレスが上記ＭＥＣサーバのアドレス以外のアドレスである場合には、上記端末装置と上記パケットデータネットワークゲートウェイとの間でデータの転送を行い、上記第２通信処理部は、上記端末装置のためのデータの宛先アドレスが上記ＭＥＣサーバのアドレスである場合には、上記端末装置と上記ＭＥＣサーバとの間でデータの転送を行う。
【０００９】
本発明では、上記ＭＥＣサーバのアドレスと、それ以外のアドレスを管理し比較する事でデータ転送先を判断している。ここで、この判断で用いるアドレスとは、IPv4（Internet Protocol version 4）アドレス、IP v4アドレス群、IPv6（Internet Protocol version 6）アドレス、IPv6アドレス群、トランスポート層で用いるPort番号、トランスポート層で用いるPort番号群、或いは上位層でサービスの限定に用いる情報であってもかまわない。
【００１０】
本発明の方法は、ＥＰＣ（Evolved  Packet  Core）ネットワークにおいて端末装置のためのアドレスを設定するパケットデータネットワークゲートウェイとの通信を行うことと、ＭＥＣ（Mobile  Edge  Computing）によりサービスを提供するＭＥＣサーバとの通信を行うことと、上記ＭＥＣサーバのアドレスに関する情報を管理することと、を含み、上記パケットデータネットワークゲートウェイとの通信では、上記端末装置のためのデータの宛先アドレスが上記ＭＥＣサーバのアドレス以外のアドレスである場合に、上記端末装置と上記パケットデータネットワークゲートウェイとの間でデータの転送を行い、上記ＭＥＣサーバとの通信では、上記端末装置のためのデータの宛先アドレスが上記ＭＥＣサーバのアドレスである場合に、上記端末装置と上記ＭＥＣサーバとの間でデータの転送を行う、方法である。
【００１１】
本発明のプログラムは、ＥＰＣ（Evolved  Packet  Core）ネットワークにおいて端末装置のためのアドレスを設定するパケットデータネットワークゲートウェイとの通信を行うことと、ＭＥＣ（Mobile  Edge  Computing）によりサービスを提供するＭＥＣサーバとの通信を行うことと、上記ＭＥＣサーバのアドレスに関する情報を管理することと、をプロセッサに実行させるプログラムであり、上記パケットデータネットワークゲートウェイとの通信では、上記端末装置のためのデータの宛先アドレスが上記ＭＥＣサーバのアドレス以外のアドレスである場合に、上記端末装置と上記パケットデータネットワークゲートウェイとの間でデータの転送を行い、上記ＭＥＣサーバとの通信では、上記端末装置のためのデータの宛先アドレスが上記ＭＥＣサーバのアドレスである場合に、上記端末装置と上記ＭＥＣサーバとの間でデータの転送を行う、プログラムである。
【００１２】
本発明の記録媒体は、ＥＰＣ（Evolved  Packet  Core）ネットワークにおいて端末装置のためのアドレスを設定するパケットデータネットワークゲートウェイとの通信を行うことと、ＭＥＣ（Mobile  Edge  Computing）によりサービスを提供するＭＥＣサーバとの通信を行うことと、上記ＭＥＣサーバのアドレスに関する情報を管理することと、をプロセッサに実行させるプログラムを記録したコンピュータに読み取り可能な非一時的記録媒体であり、上記パケットデータネットワークゲートウェイとの通信では、上記端末装置のためのデータの宛先アドレスが上記ＭＥＣサーバのアドレス以外のアドレスである場合に、上記端末装置と上記パケットデータネットワークゲートウェイとの間でデータの転送を行い、上記ＭＥＣサーバとの通信では、上記端末装置のためのデータの宛先アドレスが上記ＭＥＣサーバのアドレスである場合に、上記端末装置と上記ＭＥＣサーバとの間でデータの転送を行う、記録媒体である。
【発明の効果】
【００１３】
本発明によれば、ＥＰＣネットワークにおいて、パケットデータネットワークゲートウェイを介したサービスとＭＥＣによるサービスとの両方を、端末装置に対して適切に提供することが可能になる。なお、本発明により、当該効果の代わりに、又は当該効果とともに、他の効果が奏されてもよい。
【図面の簡単な説明】
【００１４】
【図１】図１は、本発明の実施形態に係るシステム１の概略的な構成の一例を示す説明図である。
【図２】図２は、第１の実施形態に係るゲートウェイ装置１００の概略的な構成の例を示すブロック図である。
【図３】図３は、実施例に係るＥＰＣネットワークの概略的な構成の例を示す図である。
【図４】図４は、ＥＰＣネットワークにおける各ネットワークノードの動作の流れを概略的に示す図である。
【図５】図５は、トラッキングエリアアップデートのプロシージャを説明するためのシーケンス図である。
【図６】図６は、他の実施例に係るＥＰＣネットワークの概略的な構成の例を示す図である。
【図７】図７は、第２の実施形態に係るゲートウェイ装置１００の概略的な構成の例を示すブロック図である。
【発明を実施するための形態】
【００１５】
以下、添付の図面を参照して本発明の実施形態を詳細に説明する。なお、本明細書及び図面において、同様に説明されることが可能な要素については、同一の符号を付することにより重複説明が省略され得る。
【００１６】
説明は、以下の順序で行われる。
１．本発明の実施形態の概要
２．システムの構成
３．第１の実施形態
３．１．ゲートウェイ装置１００の構成
３．２．技術的特徴
３．３．実施例
４．第２の実施形態
４．１．ゲートウェイ装置１００の構成
４．２．技術的特徴
５．他の形態
【００１７】
＜＜１．本発明の実施形態の概要＞＞
まず、本発明の実施形態の概要を説明する。
【００１８】
（１）技術的課題
ＭＥＣ（Mobile  Edge  Computing）は、アプリケーション開発者及びコンテンツプロバイダに対して、モバイル加入者に近接した無線アクセスネットワーク内でのクラウドコンピューティング能力及びＩＴ（information  technology）サービス環境を提供する。この環境は、超低遅延及び高帯域幅に加えて、アプリケーション及びサービスによって活用されることができる無線ネットワーク情報（加入者位置、セル負荷など）への直接アクセスを提供することが可能になる。
【００１９】
ＭＥＣを実現する方法は、以下のようにいくつか存在しうるが、３ＧＰＰ（3rd  Generation Partnership  Project）に規定されるような標準的な方法はない。
【００２０】
例えば、Ｓ１区間にＤＰＩ（Deep  Packet  Inspection）を設置して、ＭＥＣサービス向け宛先ＩＰパケットの経路を変更する方法では、次のような問題がある。すなわち、ＭＥＣサービス向けのサービス提供エリアでは、ＵＥ（User  Equipment）の位置が分からないため、ネットワークからのダウンリンクパケットをＵＥが受信することができない。
【００２１】
また、ＭＥＣサービス向けのサービスエリアにＰＧＷを配備し、当該ＰＧＷをモビリティ制御と連動させると、ＵＥは、ダウンリンクパケットを受信することができるが、ＰＤＮセッションの再設定が必要となる。つまり、ＵＥにＩＰアドレスが再割り当てされるという点で、サービスへの影響が発生する。また、ＰＧＷをＭＥＣサービス向けのサービスエリアに配備する場合、インターネット向けの接続を維持するため、ＭＥＣサービス向けのサービスエリアには、例えばＩＰＸ（Internetwork  Packet  eXchange）などの設備が必要となる。
【００２２】
本実施形態の目的は、ＥＰＣ（Evolved  Packet  Core）ネットワークにおいて、パケットデータネットワークゲートウェイを介したサービスとＭＥＣ（Mobile  Edge  Computing）のためのサービスとの両方を、端末装置に対して適切に提供することを可能にすることである。
【００２３】
（２）技術的特徴
本発明の実施形態では、例えば、ゲートウェイ装置は、ＥＰＣ（Evolved  Packet  Core）ネットワークにおいて端末装置のためのアドレスを設定するパケットデータネットワークゲートウェイとの通信を行う。また、ゲートウェイ装置は、ＭＥＣ（Mobile  Edge  Computing）によりサービスを提供するＭＥＣサーバとの通信を行う。また、ゲートウェイ装置は、上記ＭＥＣサーバのアドレスに関する情報を管理する。そして、ゲートウェイ装置は、上記端末装置のためのデータの宛先アドレスが上記ＭＥＣサーバのアドレス以外のアドレスである場合には、上記端末装置と上記パケットデータネットワークゲートウェイとの間でデータの転送を行い、上記端末装置のためのデータの宛先アドレスが上記ＭＥＣサーバのアドレスである場合には、上記端末装置と上記ＭＥＣサーバとの間でデータの転送を行う。
【００２４】
このように、本発明の実施形態では、上記ＭＥＣサーバのアドレスと、それ以外のアドレスを管理し比較する事でデータ転送先を判断している。この判断で用いるアドレスとは、IPv4（Internet Protocol version 4）アドレス、IP v4アドレス群、IPv6（Internet Protocol version 6）アドレス、IPv6アドレス群、トランスポート層で用いるPort番号、トランスポート層で用いるPort番号群、或いは上位層でサービスの限定に用いる情報であってもかまわない。
【００２５】
これにより、例えば、ＥＰＣネットワークにおいて、パケットデータネットワークゲートウェイを介したサービスとＭＥＣによるサービスとの両方を、端末装置に対して適切に提供することが可能になる。
【００２６】
なお、上述した技術的特徴は本発明の実施形態の具体的な一例であり、当然ながら、本発明の実施形態は上述した技術的特徴に限定されない。
【００２７】
＜＜２．システムの構成＞＞
図１を参照して、本発明の実施形態に係るシステム１の構成の例を説明する。図１は、本発明の実施形態に係るシステム１の概略的な構成の一例を示す説明図である。図１を参照すると、システム１は、ゲートウェイ装置１００、パケットデータネットワークゲートウェイ２００（以下、ＰＧＷ２００ともいう。）、モバイルエッジコンピューティングサーバ３００（以下、ＭＥＣサーバ３００ともいう。）、基地局４００、及び端末装置５００を含む。
【００２８】
例えば、システム１は、３ＧＰＰ（Third  Generation  Partnership  Project）の規格（standard）／仕様（specification）に準拠したシステムである。より具体的には、例えば、システム１は、ＬＴＥ／ＬＴＥ−Ａｄｖａｎｃｅｄ及び／又はＳＡＥ（System  Architecture  Evolution）の規格／仕様に準拠したシステムであってもよい。あるいは、システム１は、第５世代（５Ｇ）／ＮＲ（New  Radio）の規格／仕様に準拠したシステムであってもよい。当然ながら、システム１は、これらの例に限定されない。
【００２９】
（１）ゲートウェイ装置１００
ゲートウェイ装置１００は、コアネットワークのノードであって、ＰＧＷ２００、ＭＥＣサーバ３００、及び基地局４００のそれぞれとネットワークを介した通信を行う。
【００３０】
（２）ＰＧＷ２００
ＰＧＷ２００は、インターネット２との接合点、つまりＰＤＮ（Packet  data  network）との接合点であり、ＩＰアドレスの割当ておよびサービングゲートウェイ（ＳＧＷ）へのパケット転送などを行うゲートウェイである。また、ＰＧＷ２００は、図１に示すように、ネットワークを介してゲートウェイ装置１００との通信を行う。
【００３１】
（３）ＭＥＣサーバ３００
ＭＥＣサーバ３００は、ＭＥＣサービスを提供するサーバであり、ゲートウェイ装置１００と通信可能に接続され、ゲートウェイ装置１００および基地局４００を介して、端末装置５００に当該ＭＥＣサービスに用いるデータの送受信を行う。
【００３２】
（４）基地局４００
基地局４００は、無線アクセスネットワーク（Radio  Access  Network：ＲＡＮ）のノードであり、カバレッジエリア内に位置する端末装置（例えば、端末装置５００）との無線通信を行う。
【００３３】
例えば、基地局４００は、ｅＮＢ（evolved  Node  B）であってもよく、又は、５ＧにおけるｇＮＢ（generation  Node  B）であってもよい。
【００３４】
（５）端末装置５００
端末装置５００は、基地局との無線通信を行う。例えば、端末装置５００は、基地局４００のカバレッジエリア内に位置する場合に、基地局４００との無線通信を行う。例えば、端末装置５００は、ＵＥ（User  Equipment）である。
【００３５】
＜＜３．第１の実施形態＞＞
続いて、図２〜図６を参照して、本発明の第１の実施形態を説明する。
【００３６】
＜３．１．ゲートウェイ装置１００の構成＞
次に、図２を参照して、第１の実施形態に係るゲートウェイ装置１００の構成の例を説明する。図２は、第１の実施形態に係るゲートウェイ装置１００の概略的な構成の例を示すブロック図である。図２を参照すると、ゲートウェイ装置１００は、ネットワーク通信部１１０、記憶部１２０及び処理部１３０を備える。
【００３７】
（１）ネットワーク通信部１１０
ネットワーク通信部１１０は、ネットワークから信号を受信し、ネットワークへ信号を送信する。
【００３８】
（２）記憶部１２０
記憶部１２０は、ゲートウェイ装置１００の動作のためのプログラム（命令）及びパラメータ、並びに様々なデータを、一時的に又は恒久的に記憶する。当該プログラムは、ゲートウェイ装置１００の動作のための１つ以上の命令を含む。
【００３９】
（３）処理部１３０
処理部１３０は、ゲートウェイ装置１００の様々な機能を提供する。処理部１３０は、第１通信処理部１３１、第２通信処理部１３３、及び管理部１３５を含む。なお、処理部１３０は、これらの構成要素以外の他の構成要素をさらに含み得る。即ち、処理部１３０は、これらの構成要素の動作以外の動作も行い得る。第１通信処理部１３１、第２通信処理部１３３、及び管理部１３５の具体的な動作は、後に詳細に説明する。
【００４０】
例えば、処理部１３０（第１通信処理部１３１）は、ネットワーク通信部１１０を介してパケットデータネットワークゲートウェイ２００と通信する。また、処理部１３０（第２通信処理部１３３）は、ネットワーク通信部１１０を介してＭＥＣサーバ３００と通信する。
【００４１】
（４）実装例
ネットワーク通信部１１０は、ネットワークアダプタ並びに／又はネットワークインタフェースカード等により実装されてもよい。記憶部１２０は、メモリ（例えば、不揮発性メモリ及び／若しくは揮発性メモリ）並びに／又はハードディスク等により実装されてもよい。処理部１３０は、ベースバンド（Baseband：ＢＢ）プロセッサ及び／又は他の種類のプロセッサ等の１つ以上のプロセッサにより実装されてもよい。第１通信処理部１３１、第２通信処理部１３３、及び管理部１３５は、同一のプロセッサにより実装されてもよく、別々に異なるプロセッサにより実装されてもよい。上記メモリ（記憶部１２０）は、上記１つ以上のプロセッサ内に含まれていてもよく、又は、上記１つ以上のプロセッサ外にあってもよい。
【００４２】
ゲートウェイ装置１００は、プログラム（命令）を記憶するメモリと、当該プログラム（命令）を実行可能な１つ以上のプロセッサとを含んでもよい。当該１つ以上のプロセッサは、上記プログラムを実行して、処理部１３０の動作（第１通信処理部１３１、第２通信処理部１３３、及び／又は管理部１３５の動作）を行ってもよい。上記プログラムは、処理部１３０の動作（第１通信処理部１３１、第２通信処理部１３３、及び／又は管理部１３５の動作）をプロセッサに実行させるためのプログラムであってもよい。
【００４３】
なお、ゲートウェイ装置１００は、仮想化されていてもよい。即ち、ゲートウェイ装置１００は、仮想マシンとして実装されてもよい。この場合に、ゲートウェイ装置１００（仮想マシン）は、プロセッサ及びメモリ等を含む物理マシン（ハードウェア）及びハイパーバイザー上で仮想マシンとして動作してもよい。
【００４４】
＜３．２．技術的特徴＞
次に、第１の実施形態の技術的特徴を説明する。
【００４５】
ゲートウェイ装置１００（第１通信処理部１３１）は、ＥＰＣネットワークにおいて端末装置（例えば端末装置５００）のためのアドレスを設定するパケットデータネットワークゲートウェイ２００と通信を行う。また、ゲートウェイ装置１００（第２通信処理部１３３）は、ＭＥＣサービスを提供するＭＥＣサーバ３００と通信を行う。また、ゲートウェイ装置１００（管理部１３５）は、ＭＥＣサーバ３００のアドレスに関する情報を管理する。
【００４６】
そして、ゲートウェイ装置１００（第１通信処理部１３１）は、上記端末装置（例えば端末装置５００）のためのデータの宛先アドレスがＭＥＣサーバ３００のアドレス以外のアドレスである場合には、上記端末装置（例えば端末装置５００）とパケットデータネットワークゲートウェイ２００との間でデータの転送を行う。また、ゲートウェイ装置１００（第２通信処理部１３３）は、上記端末装置（例えば端末装置５００）のためのデータの宛先アドレスがＭＥＣサーバのアドレスである場合には、上記端末装置（端末装置５００）とＭＥＣサーバ３００との間でデータの転送を行う。
【００４７】
このように、ゲートウェイ装置１００は、上記ＭＥＣサーバのアドレスと、それ以外のアドレスを管理し比較する事でデータ転送先を判断している。この判断で用いるアドレスとは、IPv4（Internet Protocol version 4）アドレス、IP v4アドレス群、IPv6（Internet Protocol version 6）アドレス、IPv6アドレス群、トランスポート層で用いるPort番号、トランスポート層で用いるPort番号群、或いは上位層でサービスの限定に用いる情報であってもかまわない。
【００４８】
例えば、ゲートウェイ装置１００（第１通信処理部１３１、第２通信処理部１３３、管理部１３５）は、ＭＥＣサーバ３００のサービスエリア向けのＭＭＥ（Mobility  Management  Entity）、ＳＧＷ及びＰＧＷとして機能する。
【００４９】
（１）アドレス
上記端末装置のための上記アドレスとは、具体的には、ＰＧＷ２００によって上記端末装置（例えば端末装置５００）に割り当てられるＩＰ（Internet  Protocol）アドレスである。
【００５０】
また、上記ＭＥＣサーバ３００の上記アドレスとは、具体的には、ＭＥＣサーバ３００のＩＰアドレスである。また、ゲートウェイ装置１００（管理部１３５）により管理される上記ＭＥＣサーバ３００の上記アドレスに関する上記情報とは、例えば、ゲートウェイ装置１００（例えばＤＮＳサーバ）内で認識可能なＭＥＣサーバ３００のＩＰアドレスとドメイン名との対応関係に関する情報である。
【００５１】
（２）ＭＥＣサーバ３００のサービスエリア
ＭＥＣサーバ３００のサービスエリアは、具体的には、トラッキングエリア識別子により識別されるエリアである。
【００５２】
上述したように、上記ＭＥＣサーバ３００のサービスエリアが上記トラッキング識別子により識別される場合、ゲートウェイ装置１００は、例えばトラッキングエリアアップデートに関する処理において、次のような処理を行う。
【００５３】
ゲートウェイ装置１００（管理部１３５）は、例えば、端末装置５００から、上記ＭＥＣサーバ３００の上記サービスエリアへのトラッキングエリアアップデートリクエストを受信した場合に、上記ＭＥＣサーバ３００の上記アドレスに関する上記情報を取得することにより管理する。
【００５４】
また、ゲートウェイ装置１００（第１通信処理部１３１）は、例えば、端末装置５００から、上記ＭＥＣサーバ３００の上記サービスエリアへのトラッキングエリアアップデートリクエストを受信した場合に、パケットデータネットワークゲートウェイ２００に対して、Modify  Bearer  Requestメッセージを送信する。
【００５５】
続いて、ゲートウェイ装置１００（第１通信処理部１３１）は、パケットデータネットワークゲートウェイ２００から、Modify  Bearer  Responseメッセージを受信する。これにより、ゲートウェイ装置１００とパケットデータネットワークゲートウェイ２００との間に、Ｓ５インタフェースが設定される。つまり、ゲートウェイ装置１００（第１通信処理部１３１）は、パケットデータネットワークゲートウェイ２００からModify  Bearer  Responseメッセージを受信した後、パケットデータネットワークゲートウェイ２００との間で、Ｓ５インタフェースを用いた通信を行う。
【００５６】
＜３．３．実施例＞
次に、第１の実施形態に係る実施例を説明する。
【００５７】
（１）ネットワークの構成例
図３は、実施例に係るＥＰＣネットワークの概略的な構成の例を示す図である。図３に示す例では、ＭＭＥ０は、Ｍａｃｒｏ  ａｒｅａ内の基地局を制御するモビリティマネジメントエンティティであり、ＳＧＷ０は、Ｍａｃｒｏ  ａｒｅａ内の端末装置（例えばＵＥ）向けの信号を伝送するためのサービングゲートウェイである。
【００５８】
また、ＰＧＷ０又はＰＧＷ３は、上述したパケットデータネットワークゲートウェイ２００に相当する。
【００５９】
また、ＭＥＣ  Ｓｅｒｖｅｒ１又はＭＥＣ  Ｓｅｒｖｅｒ２は、上述したＭＥＣサーバ３００に相当する。
【００６０】
また、ＭＭＥ１、ＳＧＷ１、及びＰＧＷ１のセット、又はＭＭＥ２、ＳＧＷ２、及びＰＧＷ２のセットは、上述したゲートウェイ装置１００に相当する。
【００６１】
上述したように、ゲートウェイ装置１００は、ＭＥＣサーバ３００（ＭＥＣ  Ｓｅｒｖｅｒ１又はＭＥＣ  Ｓｅｒｖｅｒ２）のためのパケットデータネットワークゲートウェイ（ＰＧＷ１又ＰＧＷ２）として機能する。このため、ＥＰＣのセッションアンカーであるパケットデータネットワークゲートウェイは、Ｉｎｔｅｒｎｅｔ向けのＰＧＷ０とＭＥＣサーバ３００向けのＰＧＷ（例えば、ＰＧＷ１又ＰＧＷ２、ゲートウェイ装置１００の一機能）との合計２段のゲートウェイから構成されることになる。
【００６２】
このような構成により、例えば、端末装置（ＵＥ）は、ＭＥＣ  ａｒｅａ１に到達した場合、ＭＥＣ  Ｓｅｒｖｅｒ１により提供されるサービスへのアクセスが可能となる。ここで、Ｉｎｔｅｒｎｅｔ向けのＰＧＷ０は、端末装置（ＵＥ）の移動が、ＳＧＷチェンジ（例えば、ＳＧＷ０からＳＧＷ１への変更）のハンドオーバとして認識される。つまり、ＰＧＷチェンジによるＰＤＮセッションの設定変更が不要であるため、端末装置（ＵＥ）に対するＩＰアドレス再割り当てなどが行われず、サービスへの影響が発生しない。
【００６３】
より具体的には、ＭＥＣ  Ｓｅｒｖｅｒ１のためのゲートウェイとして機能するゲートウェイ装置１００は、例えばＰＧＷ１内に設けられるＤＰＩによって、ユーザーパケットの宛先ＩＰアドレスを確認し、上記宛先ＩＰアドレスがＭＥＣ  Ｓｅｒｖｅｒ１宛先のＩＰアドレスである場合は、ＭＥＣ  Ｓｅｒｖｅｒ１のためのＰＧＷ（ＰＧＷ１）として動作する。一方、ゲートウェイ装置１００は、上記宛先ＩＰアドレスがＭＥＣ  Ｓｅｒｖｅｒ１宛先のＩＰアドレスでない場合は、ＳＧＷ（ＳＧＷ１）として動作し、ＩｎｔｅｒｎｅｔのためのＰＧＷ（ＰＷＧ０）へＳ５インタフェース経由で上記ユーザーパケットに含まれるデータを転送する。このような動作により、端末装置（ＵＥ）は、ＰＧＷ０との接続性を保ったまま、ＭＥＣ  Ｓｅｒｖｅｒ１により提供されるサービスを受け取ることが可能になる。言い換えれば、ＭＥＣ  Ｓｅｒｖｅｒ１のためのＰＧＷ（ＰＧＷ１）は、そのアンカーとしての動作が既存設備（例えばＰＧＷ０）などから見て隠ぺいすることができる。つまり、ＰＧＷへのセッションの再設定が不要であり、端末装置（ＵＥ）に対するＩＰアドレスの再設定もないため、アプリケーションサービスへの影響がなくなるという利点がある。
【００６４】
ここで、ＭＥＣ  ａｒｅａ１では、Ｓ５リファレンスポイントが、ＰＧＷ０及びＰＷＧ１からなるカスケード構成となる。また、ＭＥＣ  ａｒｅａ１で端末装置（ＵＥ）が接続されるＳＧＷ（ＳＧＷ１）は、ＭＥＣ  Ｓｅｒｖｅｒ１のためのＰＧＷ（ＰＧＷ１）を内在するものと扱うことができる。このため、ＰＧＷ１及びＳＧＷ１のセットはＴＧＷ（Ｔａｎｄｅｍ  ＧＷ，Ｔｒａｎｓｉｔ  ＧＷ）と呼んでもよい。また、Ｅｎｄ  ｕｓｅｒ  ＩＰ  ａｄｄｒｅｓｓは、ＩｎｔｅｒｎｅｔのためのＰＧＷ０から提供されるものをＭＥＣ  Ｓｅｒｖｅｒ１のためのＰＧＷ１で用いることができる。また、ＭＥＣ  Ｓｅｒｖｅｒ１１のためのＰＧＷ１が、アプリケーションレイヤレベルでＮＡＴ（Network  Address  Translation）を実施してもよい。
【００６５】
また、ＭＥＣ  Ｓｅｒｖｅｒ１のためのＰＧＷ１は、Ｃ−Ｐｌａｎｅのモビリティ制御と連動するため、ＰＧＷ０からのダウンリンクパケットを端末装置（ＵＥ）に送信することが可能となる。また、ＭＥＣ  Ｓｅｒｖｅｒ１のための向け設備として、ＭＭＥ１、ＳＧＷ１、ＰＧＷ１、つまりゲートウェイ装置１００を設置することになる。このため、既存設備へ機能追加が不要で、ＭＥＣによるサービスの導入が容易となるという利点がある。
【００６６】
（２）トラッキングエリアアップデート
次に、図４及び図５を用いて、端末装置（ＵＥ）の移動時に行われるトラッキングエリアアップデートを説明する。図４は、ＥＰＣネットワークにおける各ネットワークノードの動作の流れを概略的に示す図である。また、図５は、トラッキングエリアアップデートのプロシージャを説明するためのシーケンス図である。
【００６７】
（Ｍａｃｒｏ  ａｒｅａからＭＥＣ  ａｒｅａ１への移動：ＳＴ１）
端末装置（ＵＥ）がＭａｃｒｏ  ａｒｅａからＭＥＣ  ａｒｅａ１へ移動してＭＥＣ  ａｒｅａ１の基地局（ｅＮｏｄｅＢ）と接続する場合、ＴＡＩリストを跨ぐトラッキングエリアの変更があるため、ＴＡＵ  ｗｉｔｈ  ＭＭＥ，ＳＧＷ  ｃｈａｎｇｅが起動される。
【００６８】
この場合、ＭＥＣ  Ｓｅｒｖｅｒ１のためのＭＭＥ（ＭＭＥ１）は、ＭＥＣ  Ｓｅｒｖｅｒ１のためのＳＧＷ（ＳＧＷ１）のみを認識するように、ＤＮＳの設定を行う。また、ＭＥＣ  Ｓｅｒｖｅｒ１のためのＳＧＷ（ＳＧＷ１）は、端末装置（ＵＥ）が繋がっていたＰＧＷ（例えばＰＧＷ０）に対してＭｏｄｉｆｙ  Ｂｅａｒｅｒ  Ｒｅｑｕｅｓｔを送付する。これにより、Ｓ５インタフェースの設定変更が実行される。
【００６９】
（ＭＥＣ  ａｒｅａ１からＭＥＣ  ａｒｅａ２への移動：ＳＴ２）
端末装置（ＵＥ）がＭＥＣ  ａｒｅａ１からＭＥＣ  ａｒｅａ２へ移動してＭＥＣ  ａｒｅａ２の基地局（ｅＮｏｄｅＢ）と接続する場合、ＴＡＩリストを跨ぐトラッキングエリアの変更があるため、ＴＡＵ  ｗｉｔｈ  ＭＭＥ，ＳＧＷ  ｃｈａｎｇｅが起動される。
【００７０】
この場合、ＭＥＣ  Ｓｅｒｖｅｒ２のためのＭＭＥ（ＭＭＥ２）は、ＭＥＣ  Ｓｅｒｖｅｒ２のためのＳＧＷ（ＳＧＷ２）のみを認識するように、ＤＮＳの設定を行う。また、ＭＥＣ  Ｓｅｒｖｅｒ２のためのＳＧＷ（ＳＧＷ２）は、端末装置（ＵＥ）が繋がっていたＰＧＷ（例えばＰＧＷ０）に対してＭｏｄｉｆｙ  Ｂｅａｒｅｒ  Ｒｅｑｕｅｓｔを送付する。これにより、Ｓ５インタフェースの設定変更が実行される。
【００７１】
（ＭＥＣ  ａｒｅａ２からＭａｃｒｏ  ａｒｅａへの移動：ＳＴ２）
端末装置（ＵＥ）がＭＥＣ  ａｒｅａ２からＭａｃｒｏ  ａｒｅａへ移動してＭａｃｒｏ  ａｒｅａの基地局（ｅＮｏｄｅＢ）と接続する場合、ＴＡＩリストを跨ぐトラッキングエリアの変更があるため、ＴＡＵ  ｗｉｔｈ  ＭＭＥ，ＳＧＷ  ｃｈａｎｇｅが起動される。
【００７２】
この場合、端末装置（ＵＥ）が接続されるＳＧＷはどのＳＧＷ（例えば、ＳＧＷ０、ＳＧＷ１、ＳＧＷ２）でもよい。ＳＧＷ０は、ＵＥが繋がっていたＰＧＷ（例えばＰＧＷ０）に対してＭｏｄｉｆｙ  Ｂｅａｒｅｒ  Ｒｅｑｕｅｓｔを送信する。これによりＳ５インタフェースの設定変更が実行される。
【００７３】
−効果
本実施例によれば、端末装置（ＵＥ）のＩＰアドレスを変更せずに、ＭＥＣサービスを提供することが可能になる。また、本実施例によれば、ＭＥＣ  Ｓｅｒｖｅｒ１、２に接続するためにＭＥＣサービス向けのＰＧＷ（例えばＰＧＷ１、ＰＧＷ２）にＰＤＮセッションを設定変更することなく、Ｍａｃｒｏ  ａｒｅａ向けのＰＧＷ０が利用可能となる。すなわち、端末装置（ＵＥ）は、Ｉｎｔｅｒｎｅｔ向けＡＰＮに関する設定を変更することなく、ＭＥＣサービスを受けることが可能になる。
【００７４】
また、ＭＥＣサービス向けベアラの設定のためにＭＥＣサービス向けＡＰＮを設定することは、ユーザにとって手間がかかるため煩わしい。これに対して、本実施例によれば、ＭＥＣサービス向けのＰＧＷ（例えば、ＰＧＷ１、ＰＧＷ２）内に設けられたＤＰＩが、ユーザーパケットの宛先ＩＰアドレスを見て、ＭＥＣサービス向けのみＭＥＣサーバ３への転送処理を行う。このため、ＡＰＮは、Ｉｎｔｅｒｎｅｔ向けに設定した状態で、ＭＥＣサービスを端末装置（ＵＥ）に提供することが可能となる。
【００７５】
さらに、本実施例によれば、提供されるＭＥＣサービスは、ダウンリンクを含むＥＰＣの全てのモビリティ制御を利用することが可能になる。比較例として、Ｓ１区間にＤＰＩ装置を設置した場合には、ユーザーパケットの宛先ＩＰアドレスを見てＭＥＣサービス向けのみＭＥＣサーバへ転送することで振り分けが可能であるもののＵＥの位置が分からない。このため、ＭＥＣサービスからＵＥへのダウンリンクが実施できない。一方、本実施例では、ＭＥＣサービス向けの設備として、例えば、ＭＭＥ１とＳＧＷ１とＰＧＷ１とのセット、つまりゲートウェイ装置１００があるため、ＥＰＣの全てのモビリティ制御を利用することが可能である。これにより、オペレータは、ＭＥＣサービス向けの設備を容易に導入することも可能になる。例えば、ＭＭＥ１とＳＧＷ１とＰＧＷ１とのセット、つまりゲートウェイ装置１００と、既存設備との接点を、Ｓ１０とＳ５点のみに集約することができる。
【００７６】
（３）他の実施例
図６は、他の実施例に係るＥＰＣネットワークの概略的な構成の例を示す図である。図６に示すように、ＭＥＣサービス向けの設備として、ＭＭＥ（ＭＭＥ１、ＭＭＥ２）の機能を果たすゲートウェイ装置１００が収容される。このように、ＭＥＣ  ａｒｅａ１又はＭＥＣ  ａｒｅａ２に到達した端末装置（ＵＥ）に対して、ＭＥＣサービス向けのＭＭＥ（ゲートウェイ装置１００）を介して、ＳＭＳ（Short  Message  Service）を通知することが可能となる。言い換えれば、ＭＥＣエリアに位置する端末装置（ＵＥ）は、ＭＥＣサービスが使用できることを認識することができる。この場合、ＭＥＣサービス向けのＭＭＥ（ＭＭＥ１、ＭＭＥ２）は、ＭＣＣ（Mobile  country  code）を確認することにより、ユーザの国別に応じたＭＥＣサーバ選択及び言語に応じたＳＭＳ通知が可能である。
【００７７】
また、ＭＥＣサービス向けのＭＭＥ（ＭＭＥ１、ＭＭＥ２）が端末能力や端末契約を識別することによって、ＭＥＣサービスをサポートするか否かを判断し、端末装置（ＵＥ）からのトラッキングエリアアップデートのRequestを拒否してもよい。これにより、ＭＥＣサービス向けのＭＭＥ（ＭＭＥ１、ＭＭＥ２）は、ＭＥＣサービスを端末装置（ＵＥ）に与えないように制御することが可能である。
【００７８】
＜＜４．第２の実施形態＞＞
続いて、図７を参照して、本発明の第２の実施形態を説明する。上述した第１の実施形態は、具体的な実施形態であるが、第２の実施形態は、より一般化された実施形態である。
【００７９】
＜４．１．ゲートウェイ装置１００の構成＞
まず、図７を参照して、第２の実施形態に係るゲートウェイ装置１００の構成の例を説明する。図７は、第２の実施形態に係るゲートウェイ装置１００の概略的な構成の例を示すブロック図である。図７を参照すると、ゲートウェイ装置１００は、第１通信処理部１４１、第２通信処理部１４３、及び管理部１４５を備える。第１通信処理部１４１、第２通信処理部１４３、及び管理部１４５の具体的な動作は、後に説明する。
【００８０】
第１通信処理部１４１、第２通信処理部１４３、及び管理部１４５は、同一のプロセッサにより実装されてもよく、別々に異なるプロセッサにより実装されてもよい。第１通信処理部１４１、第２通信処理部１４３、及び管理部１４５は、プログラム（命令）を記憶するメモリと、当該プログラム（命令）を実行可能な１つ以上のプロセッサとを含んでもよく、当該１つ以上のプロセッサは、第１通信処理部１４１、第２通信処理部１４３、及び管理部１４５の動作を行ってもよい。上記プログラムは、第１通信処理部１４１、第２通信処理部１４３、及び管理部１４５の動作をプロセッサに実行させるためのプログラムであってもよい。
【００８１】
なお、上述した各々のプロセッサは、例えば汎用なコンピュータにインストールされたハイパーバイザーなどにより実現される仮想プロセッサであってもよい。また、上述した各々のメモリは、例えば汎用なコンピュータにインストールされたハイパーバイザーなどにより実現される仮想メモリであってもよい。
【００８２】
＜４．２．技術的特徴＞
次に、第２の実施形態の技術的特徴を説明する。
【００８３】
第２の実施形態では、ゲートウェイ装置１００（第１通信処理部１４１）は、ＥＰＣネットワークにおいて端末装置（例えば端末装置５００）のためのアドレスを設定するパケットデータネットワークゲートウェイ２００と通信を行う。また、ゲートウェイ装置１００（第２通信処理部１４３）は、ＭＥＣサービスを提供するＭＥＣサーバ３００と通信を行う。また、ゲートウェイ装置１００（管理部１４５）は、ＭＥＣサーバ３００のアドレスに関する情報を管理する。
【００８４】
そして、ゲートウェイ装置１００（第１通信処理部１４１）は、上記端末装置（例えば端末装置５００）のためのデータの宛先アドレスがＭＥＣサーバ３００のアドレス以外のアドレスである場合には、上記端末装置（例えば端末装置５００）とパケットデータネットワークゲートウェイ２００との間でデータの転送を行う。また、ゲートウェイ装置１００（第２通信処理部１４３）は、上記端末装置（例えば端末装置５００）のためのデータの宛先アドレスがＭＥＣサーバのアドレスである場合には、上記端末装置（端末装置５００）とＭＥＣサーバ３００との間でデータの転送を行う。
【００８５】
例えば、第１通信処理部１４１は、上述した第１の実施形態に係る第１通信処理部１３１の動作を行ってもよい。また、第２通信処理部１４３は、上述した第１の実施形態に係る第２通信処理部１３３の動作を行ってもよい。さらに、管理部１４５は、上述した第１の実施形態に係る管理部１３５の動作を行ってもよい。
【００８６】
以上、第２の実施形態を説明した。第２の実施形態によれば、例えば、ＥＰＣネットワークにおいて、パケットデータネットワークゲートウェイを介したサービスとＭＥＣによるサービスとの両方を、端末装置に対して適切に提供することが可能になる。
【００８７】
＜＜５．他の形態＞＞
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【００８８】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【００８９】
また、本明細書において説明したゲートウェイ装置の構成要素（例えば、第１通信処理部、第２通信処理部、及び／又は管理部）を備える装置（例えば、ゲートウェイ装置を構成する複数の装置（又はユニット）のうちの１つ以上の装置（又はユニット）、又は上記複数の装置（又はユニット）のうちの１つのためのモジュール）が提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Non-transitory  computer  readable  medium）が提供されてもよい。当然ながら、このような装置、モジュール、方法、プログラム、及びコンピュータに読み取り可能な非一時的記録媒体も本発明に含まれる。
【００９０】
上記実施形態の一部又は全部は、以下の付記のようにも記載され得るが、以下には限られない。
【００９１】
（付記１）
ＥＰＣ（Evolved  Packet  Core）ネットワークにおいて端末装置のためのアドレスを設定するパケットデータネットワークゲートウェイとの通信を行う第１通信処理部と、
ＭＥＣ（Mobile  Edge  Computing）によりサービスを提供するＭＥＣサーバとの通信を行う第２通信処理部と、
前記ＭＥＣサーバのアドレスに関する情報を管理する管理部と、
を備え、
前記第１通信処理部は、前記端末装置のためのデータの宛先アドレスが前記ＭＥＣサーバのアドレス以外のアドレスである場合には、前記端末装置と前記パケットデータネットワークゲートウェイとの間でデータの転送を行い、
前記第２通信処理部は、前記端末装置のためのデータの宛先アドレスが前記ＭＥＣサーバのアドレスである場合には、前記端末装置と前記ＭＥＣサーバとの間でデータの転送を行う、ゲートウェイ装置。
【００９２】
（付記２）
前記ＭＥＣサーバのサービスエリアは、トラッキングエリア識別子により識別されるエリアである、付記１記載のゲートウェイ装置。
【００９３】
（付記３）
前記第１通信処理部は、前記ＭＥＣサーバの前記サービスエリアへのトラッキングエリアアップデートリクエストを前記端末装置から受信した場合に、前記パケットデータネットワークゲートウェイに対して、Modify  Bearer  Requestメッセージを送信する、付記２記載のゲートウェイ装置。
【００９４】
（付記４）
前記第１通信処理部は、前記パケットデータネットワークゲートウェイから、Modify  Bearer  Responseメッセージを受信する、付記３記載のゲートウェイ装置。
【００９５】
（付記５）
前記第１通信処理部は、前記パケットデータネットワークゲートウェイから前記Modify  Bearer  Responseメッセージを受信した後、前記パケットデータネットワークゲートウェイとの間で、Ｓ５インタフェースを用いた通信を行う、付記４記載のゲートウェイ装置。
【００９６】
（付記６）
ＥＰＣ（Evolved  Packet  Core）ネットワークにおいて端末装置のためのアドレスを設定するパケットデータネットワークゲートウェイとの通信を行うことと、
ＭＥＣ（Mobile  Edge  Computing）によりサービスを提供するＭＥＣサーバとの通信を行うことと、
前記ＭＥＣサーバのアドレスに関する情報を管理することと、
を含み、
前記パケットデータネットワークゲートウェイとの通信では、前記端末装置のためのデータの宛先アドレスが前記ＭＥＣサーバのアドレス以外のアドレスである場合に、前記端末装置と前記パケットデータネットワークゲートウェイとの間でデータの転送を行い、
前記ＭＥＣサーバとの通信では、前記端末装置のためのデータの宛先アドレスが前記ＭＥＣサーバのアドレスである場合に、前記端末装置と前記ＭＥＣサーバとの間でデータの転送を行う、方法。
【００９７】
（付記７）
ＥＰＣ（Evolved  Packet  Core）ネットワークにおいて端末装置のためのアドレスを設定するパケットデータネットワークゲートウェイとの通信を行うことと、
ＭＥＣ（Mobile  Edge  Computing）によりサービスを提供するＭＥＣサーバとの通信を行うことと、
前記ＭＥＣサーバのアドレスに関する情報を管理することと、
をプロセッサに実行させるプログラムであり、
前記パケットデータネットワークゲートウェイとの通信では、前記端末装置のためのデータの宛先アドレスが前記ＭＥＣサーバのアドレス以外のアドレスである場合に、前記端末装置と前記パケットデータネットワークゲートウェイとの間でデータの転送を行い、
前記ＭＥＣサーバとの通信では、前記端末装置のためのデータの宛先アドレスが前記ＭＥＣサーバのアドレスである場合に、前記端末装置と前記ＭＥＣサーバとの間でデータの転送を行う、プログラム。
【００９８】
（付記８）
ＥＰＣ（Evolved  Packet  Core）ネットワークにおいて端末装置のためのアドレスを設定するパケットデータネットワークゲートウェイとの通信を行うことと、
ＭＥＣ（Mobile  Edge  Computing）によりサービスを提供するＭＥＣサーバとの通信を行うことと、
前記ＭＥＣサーバのアドレスに関する情報を管理することと、
をプロセッサに実行させるプログラムを記録したコンピュータに読み取り可能な非一時的記録媒体であり、
前記パケットデータネットワークゲートウェイとの通信では、前記端末装置のためのデータの宛先アドレスが前記ＭＥＣサーバのアドレス以外のアドレスである場合に、前記端末装置と前記パケットデータネットワークゲートウェイとの間でデータの転送を行い、
前記ＭＥＣサーバとの通信では、前記端末装置のためのデータの宛先アドレスが前記ＭＥＣサーバのアドレスである場合に、前記端末装置と前記ＭＥＣサーバとの間でデータの転送を行う、記録媒体。
【産業上の利用可能性】
【００９９】
ＥＰＣネットワークにおいて、パケットデータネットワークゲートウェイを介したサービスとモバイルエッジコンピューティングによるサービスとの両方を、端末装置に対して適切に提供することができる。
【符号の説明】
【０１００】
１  システム
１００  ゲートウェイ装置
１３１、１４１  第１通信処理部
１３３、１４３  第２通信処理部
１３５、１４５  管理部
２００  パケットデータネットワークゲートウェイ
３００  ＭＥＣサーバ
４００  基地局
５００  端末装置
【図１】
2019176295.tif 000003
【図２】
2019176295.tif 000004
【図３】
2019176295.tif 000005
【図４】
2019176295.tif 000006
【図５】
2019176295.tif 000007
【図６】
2019176295.tif 000008
【図７】
2019176295.tif 000009